(57)【要約】【課題】複数の温度域で比熱変化帯を有する冷却水を使用した際に、最も低い温度域の比熱変化帯を十分に有効利用する技術を提供する。【解決手段】複数の温度域で比熱が変化している状態の比熱変化帯を有する冷却水を使用し、冷却水を、比熱変化帯を利用した複数の目標温度状態に制御する内燃機関の冷却装置であって、最も低い温度域の比熱変化帯における比熱の変化で許容可能な許容受熱量を、他の比熱変化帯における許容受熱量よりも多くする。【選択図】図３
2013007310.tif 000002
【特許請求の範囲】
【請求項１】
複数の温度域で比熱が変化している状態の比熱変化帯を有する冷却水を使用し、冷却水を、比熱変化帯を利用した複数の目標温度状態に制御する内燃機関の冷却装置であって、
最も低い温度域の比熱変化帯における比熱の変化で許容可能な許容受熱量を、他の比熱変化帯における許容受熱量よりも多くすることを特徴とする内燃機関の冷却装置。
【請求項２】
内燃機関の高負荷運転時に、冷却水を、最も低い温度域の比熱変化帯を利用した目標温度状態に制御することを特徴とする請求項１に記載の内燃機関の冷却装置。
【請求項３】
冷却水の温度を調節するために開閉制御されるサーモスタットであって、開閉制御温度が可変なサーモスタットを更に備え、
前記サーモスタットは、内燃機関の高負荷運転時に、冷却水を、最も低い温度域の比熱変化帯内の温度状態に維持するように開閉制御温度が設定されて開閉制御されることを特徴とする請求項２に記載の内燃機関の冷却装置。
【請求項４】
前記冷却水は、相変化することにより媒体の比熱を変更する多種類の粒子を含むことで、複数の温度域で比熱変化帯を有することを特徴とする請求項１〜３のいずれか１項に記載の内燃機関の冷却装置。
【発明の詳細な説明】
【技術分野】
【０００１】
本発明は、内燃機関の冷却装置に関する。
【背景技術】
【０００２】
電子サーモスタットを有する内燃機関の冷却装置において、内燃機関の機関負荷が高い場合には冷却水を低温状態に制御し、機関負荷が低い場合には冷却水を高温状態に制御する技術が開示されている（例えば特許文献１参照）。これにより、内燃機関の機関負荷が高い場合には冷却水の温度を低下させて内燃機関の出力を向上させ、機関負荷が低い場合には冷却水の温度を上昇させて内燃機関の燃費を向上させることができる。
【０００３】
一方、内燃機関を冷却する冷却水として、固相状態と液相状態との間で相変化することにより媒体の比熱を変更する粒子を含むことで比熱が可変する冷却水を用いる技術が開示されている（例えば特許文献２参照）。これにより、粒子の蓄熱効果により熱を効率的に輸送することができ、その分だけポンプによる冷却水の循環量を少なくすることができ、冷却対象熱源の冷却効率を向上させることができる。
【先行技術文献】
【特許文献】
【０００４】
【特許文献１】特開２０１０−１７４６６３号公報
【特許文献２】特開２００９−０４４８９６号公報
【発明の概要】
【発明が解決しようとする課題】
【０００５】
特許文献１に開示された冷却水を低温状態と高温状態とに制御する技術に対し、特許文献２に開示された比熱が可変する冷却水を用いることが考えられている。このために、冷却水に含まれる粒子によって高比熱となる比熱変化帯を、低温状態と高温状態との両方の目標温度帯に存在させるようにすることも考えられている。しかし、冷却水を低温状態に制御するときには内燃機関の機関負荷が高く熱量が多いため、比熱変化帯内で許容できる許容受熱量を超えて冷却水が低温状態から逸脱してしまう。これにより、冷却水の低温状態での比熱変化帯を利用した制御が十分に行えないおそれがある。
【０００６】
本発明の目的は、複数の温度域で比熱変化帯を有する冷却水を使用した際に、最も低い温度域の比熱変化帯を十分に有効利用する技術を提供することにある。
【課題を解決するための手段】
【０００７】
本発明にあっては、以下の構成を採用する。すなわち、本発明は、
複数の温度域で比熱が変化している状態の比熱変化帯を有する冷却水を使用し、冷却水を、比熱変化帯を利用した複数の目標温度状態に制御する内燃機関の冷却装置であって、
最も低い温度域の比熱変化帯における比熱の変化で許容可能な許容受熱量を、他の比熱変化帯における許容受熱量よりも多くすることを特徴とする内燃機関の冷却装置である。
【０００８】
ここで、比熱変化帯とは、冷却水の比熱が変化している状態の温度帯であり、この比熱変化帯では、冷却水に付与される熱量に変化が生じても、比熱が変化し冷却水の温度が変化し難くなるものである。また、許容受熱量とは、冷却水の比熱が変化することで冷却水が温度変化せずに許容可能となる受熱量であり、この許容受熱量を超えると、冷却水の温度が比熱変化帯から逸脱してしまうものである。
【０００９】
本発明によると、最も低い温度域の比熱変化帯における許容受熱量が多いので、冷却水の温度が最も低い温度域の比熱変化帯内に維持され易くなる。よって、冷却水を低温状態に制御するときに、内燃機関の機関負荷が高く熱量が多くても、冷却水の温度が最も低い温度域の比熱変化帯を超えるまでの時間を長く稼ぐことができ、比熱変化帯の許容受熱量を超えて冷却水が低温状態から逸脱してしまうおそれを低減することができる。このように、複数の温度域で比熱変化帯を有する冷却水を使用した際に、最も低い温度域の比熱変化帯を十分に有効利用することができる。
【００１０】
内燃機関の高負荷運転時に、冷却水を、最も低い温度域の比熱変化帯を利用した目標温度状態に制御するとよい。
【００１１】
本発明によると、最も低い温度域の比熱変化帯における許容受熱量が多いことから、内燃機関の機関負荷が高く熱量が多い内燃機関の高負荷運転時に、最も低い温度域の比熱変化帯を十分に有効利用することができる。
【００１２】
冷却水の温度を調節するために開閉制御されるサーモスタットであって、開閉制御温度が可変なサーモスタットを更に備え、
前記サーモスタットは、内燃機関の高負荷運転時に、冷却水を、最も低い温度域の比熱変化帯内の温度状態に維持するように開閉制御温度が設定されて開閉制御されるとよい。
【００１３】
本発明によると、サーモスタットによって、冷却水を、比熱変化帯を利用した複数の目標温度状態に制御することができ、サーモスタットの開閉制御温度の設定によって、内燃機関の機関負荷が高く熱量が多い内燃機関の高負荷運転時に、最も低い温度域の比熱変化帯を十分に有効利用することができる。
【００１４】
前記冷却水は、相変化することにより媒体の比熱を変更する多種類の粒子を含むことで、複数の温度域で比熱変化帯を有するとよい。
【００１５】
本発明によると、多種類の粒子が異なる温度域で相変化することにより、各種類の粒子が相変化する温度域が比熱変化帯となる。
【発明の効果】
【００１６】
本発明によると、複数の温度域で比熱変化帯を有する冷却水を使用した際に、最も低い温度域の比熱変化帯を十分に有効利用することができる。
【図面の簡単な説明】
【００１７】
【図１】本発明の実施例１に係る内燃機関の概略構成を示す図である。
【図２】実施例１に係る冷却水のモデルを示す図である。
【図３】実施例１に係る冷却水の温度と比熱との関係を示す図である。
【図４】実施例１に係る比熱が変化する冷却水の温度上昇時の経過時間に対する冷却水の温度変化の特性曲線を示す図である。
【発明を実施するための形態】
【００１８】
以下に本発明の具体的な実施例を説明する。
＜実施例１＞
図１は、本発明の実施例１に係る内燃機関の冷却装置を適用する内燃機関の概略構成を示す図である。図１に示す内燃機関１では、シリンダブロック及びシリンダヘッドを冷却するために冷却水が冷却水通路２を循環する。冷却水通路２としては、冷却水がラジエータ３を流通する通路２ａ、冷却水がオイルクーラ４を流通する通路２ｂ、冷却水がスロットル弁５ａ及びＥＧＲ弁５ｂを流通する通路２ｃ、冷却水がリザーバタンク６を流通する
通路２ｄ、冷却水がヒータコア７を流通する通路２ｅ、冷却水がＥＧＲクーラ８を流通する通路２ｆ、冷却水がそのまま流通するバイパス通路２ｇが設けられている。
【００１９】
ラジエータ３は、冷却水と外気とで熱交換して冷却水を冷却する。オイルクーラ４は、水冷式オイルクーラであり、内燃機関１に供給されるオイルと冷却水とで熱交換してオイルを冷却する。スロットル弁５ａは、内燃機関１で吸気量を制御する弁であり、冷却水で冷却される。ＥＧＲ弁５ｂは、内燃機関１に還流される排気の一部であるＥＧＲガス量を制御する弁であり、冷却水で冷却される。リザーバタンク６は、冷却水を一時的に貯留する。ヒータコア７は、温められた冷却水により室内へ供給される空気を温める。ＥＧＲクーラ８は、水冷式ＥＧＲクーラであり、内燃機関１に還流されるＥＧＲガスと冷却水とで熱交換してＥＧＲガスを冷却する。
【００２０】
冷却水がラジエータ３を流通する通路２ａには、シリンダブロックから通じる冷却水がオイルクーラ４を流通する通路２ｂが合流する。また、冷却水がラジエータ３を流通する通路２ａからは、冷却水がスロットル弁５ａ及びＥＧＲ弁５ｂを流通する通路２ｃ、並びに、冷却水がリザーバタンク６を流通する通路２ｄが分岐する。シリンダブロックから通じた冷却水がＥＧＲクーラ８を流通する通路２ｆは、冷却水がヒータコア７を流通する通路２ｅに合流する。
【００２１】
冷却水がラジエータ３を流通する通路２ａ及びバイパス通路２ｇが合流する部位には、電子サーモスタット９が配置されている。電子サーモスタット９は、指令に応じて開閉制御される制御弁であり、開弁することで冷却水がラジエータ３を流通するように冷却水の流通経路及び流通量を変更して冷却水の温度を低下させ、冷却水の温度を調節することができる。この開弁時、バイパス通路２ｇは冷却水の流通量が絞られる。反対に、電子サーモスタット９を閉弁することで冷却水がラジエータ３を流通し難くするように冷却水の流通経路及び流通量を変更して冷却水の温度を低下し難くすることができる。この閉弁時、バイパス通路２ｇは冷却水の流通量が増加する。電子サーモスタット９は、この開弁と閉弁とを切り替える開閉制御温度が可変なものである。これは、電子サーモスタット９の開閉制御温度を変更することで、内燃機関１の運転状態に応じて冷却水の温度を最適化するためである。つまり、内燃機関１の機関負荷が高い場合には、冷却水を低温状態に制御し、冷却水の温度を低下させて内燃機関１の出力を向上させる。一方、内燃機関１の機関負荷が低い場合には、冷却水を高温状態に制御し、冷却水の温度を上昇させて内燃機関１の燃費を向上させる。
【００２２】
電子サーモスタット９の下流では冷却水をウォータポンプ１０に送り込む。ウォータポンプ１０は、冷却水を汲み上げて内燃機関１のシリンダブロックへ供給する。また、内燃機関１の出口に冷却水通路２が接続された部位には、水温センサ１１が配置され、水温センサ１１で内燃機関１から流出した冷却水の温度を検出する。水温センサ１１で検出した冷却水の温度に応じて、電子サーモスタット９が開閉制御される。
【００２３】
ここで、冷却水通路２を流通する冷却水は、比熱が可変する冷却水であって、２つの温度域で比熱が変化している状態の比熱変化帯Ｃ１，Ｃ２を有する冷却水である。すなわち、冷却水は、固相状態と液相状態との間で相変化したり、液相状態と気相状態との間で相変化したりすることにより媒体の比熱を変更する２種類の粒子を含み比熱が可変する冷却水である。なお、粒子としては、固相状態と液相状態との間で相変化するものだけでなく、液相状態と気相状態との間で相変化するもの等を用いることができる。この粒子は、例えば、カプセルの中に、潜熱等で蓄熱でき、相変化する物質を入れて構成される。また、冷却水としては、２つの温度域で比熱変化帯を有するものだけでなく、３つ以上の温度域で比熱変化帯を有するものでもよい。冷却水は、図２に示すように温度が一定以上になると内部の物質が固体から液体に相変化するような物質をカプセルで包んだ２つの粒子Ｐ１
，Ｐ２を、冷却水の溶媒の中に混入させたものである。図２は、本実施例に係る冷却水のモデルを示す図である。図２では、粒子Ｐ１が相変化する場合を例示している。
【００２４】
図３は、本実施例に係る冷却水の温度と比熱との関係を示す図である。図２に示すように冷却水中の２種類の複数の粒子Ｐ１，Ｐ２が固相状態と液相状態との間で相変化することにより、２種類の粒子Ｐ１，Ｐ２が相変化して冷却水の比熱が変化している比熱変化帯Ｃ１，Ｃ２が生じる（図３参照）。この比熱変化帯Ｃ１，Ｃ２は、冷却水に熱が付与されても、粒子が相変化して冷却水の比熱が変化している状態の相変化温度帯となる（図４参照）。すなわち比熱変化帯とは、冷却水の比熱が変化している状態の温度帯であり、この比熱変化帯では、冷却水に付与される熱量に変化が生じても、比熱が変化し冷却水の温度が変化し難くなるものである。ここで、図３に示すように、２つの比熱変化帯Ｃ１，Ｃ２のうち、最も低い温度域の比熱変化帯Ｃ１における比熱の変化で許容可能な許容受熱量を、もう一方の他の比熱変化帯Ｃ２における許容受熱量よりも多くしている。ここで、許容受熱量とは、冷却水の比熱が変化することで冷却水が温度変化せずに許容可能となる受熱量であり、この許容受熱量を超えると、冷却水の温度が比熱変化帯から逸脱してしまうものである。言い換えると、図３に示すように、最も低い温度域の比熱変化帯Ｃ１における比熱変化量を、もう一方の他の比熱変化帯Ｃ２における比熱変化量よりも多くしている。このように許容受熱量を異ならせるために、比熱変化帯Ｃ１を形成する粒子Ｐ１の量を、比熱変化帯Ｃ２を形成する粒子Ｐ２の量よりも多くしている。本実施例では、比熱変化帯Ｃ１を内燃機関１の機関負荷が高い場合の目標温度に設定し、電子サーモスタット９を開閉制御させて冷却水を低温状態に制御する。一方、比熱変化帯Ｃ２を内燃機関１の機関負荷が低い場合の目標温度に設定し、電子サーモスタット９を開閉制御させて冷却水を高温状態に制御する。図４は、本実施例に係る比熱が変化する冷却水の温度上昇時の経過時間に対する冷却水の温度変化の特性曲線を示す図である。図４に示すように冷却水が内燃機関１のオーバーヒートする温度に達する前に、冷却水の温度は２つの比熱変化帯Ｃ１，Ｃ２を経過する。ここで、図３に示すように、最も低い温度域の比熱変化帯Ｃ１は、許容受熱量が比熱変化帯Ｃ２よりも多い。これにより、内燃機関１の機関負荷が高く熱量が多い内燃機関１の高負荷運転時に、冷却水の温度が比熱変化帯Ｃ１内に維持される時間が長くなる。よって、許容受熱量を多くした最も低い温度域の比熱変化帯Ｃ１を有効利用することができる。一方、内燃機関１の機関負荷が低く熱量が少ない内燃機関の低負荷運転時には、許容受熱量が少なくても冷却水の温度が比熱変化帯Ｃ２内に維持され易い。このような冷却水を用いることにより、内燃機関１の暖機過程では従来よりも冷却水の比熱を下げておくことで内燃機関１の暖機性を向上して燃費向上でき、暖機後はある一定の温度域（相変化温度帯）で比熱が高くなることから、受熱量の許容範囲が増大してオーバーヒート等を回避することができる。
【００２５】
この内燃機関１には、ＥＣＵ（電子制御ユニット）１２が併設されている。ＥＣＵ１２には、水温センサ１１等の各種センサが電気配線を介して接続され、これら各種センサの出力信号がＥＣＵ１２に入力されるようになっている。一方、ＥＣＵ１２には、スロットル弁５ａ、ＥＧＲ弁５ｂ、ヒータコア７、及び電子サーモスタット９、ウォータポンプ１０等が電気配線を介して接続されており、ＥＣＵ１２によりこれらの機器が制御される。
【００２６】
（冷却水）
本実施例のように冷却水を低温状態と高温状態とに制御する場合に、比熱が可変する冷却水を用いる場合がある。このために、冷却水に含まれる粒子によって高比熱となる比熱変化帯Ｃ１，Ｃ２を、低温状態と高温状態との両方の目標温度に存在させるようにする。ここで、冷却水に含まれる粒子を多くし過ぎてしまうと、冷却水詰まり等の原因となるため、大幅に粒子量を増やすこともできない。この状態で冷却水を低温状態に制御するときには内燃機関１の機関負荷が高く熱量が多いため、比熱変化帯Ｃ１内で許容できる許容受熱量を超えて冷却水が低温状態から逸脱してしまうおそれがある。これにより、冷却水の
低温状態での比熱変化帯を利用した制御が十分に行えないおそれがある。
【００２７】
そこで、本実施例では、内燃機関の高負荷運転時に冷却水を低温状態に維持するために電子サーモスタット９が開閉制御される温度帯である最も低い温度域の比熱変化帯Ｃ１における許容受熱量を、他の比熱変化帯Ｃ２における許容受熱量よりも多くするようにした。つまり、粒子Ｐ１の量を、粒子Ｐ２の量に比して増大させるようにした。そして、本実施例では、電子サーモスタット９は、内燃機関１の高負荷運転時に、冷却水を、最も低い温度域の比熱変化帯Ｃ１内の温度状態に維持するように開閉制御温度が設定されて開閉制御される。これにより、最も低い温度域の比熱変化帯Ｃ１における許容受熱量が多いので、冷却水の温度が最も低い温度域の比熱変化帯Ｃ１内に維持され易くなる。よって、冷却水を低温状態に制御するときに、内燃機関１の機関負荷が高く熱量が多くても、冷却水の温度が最も低い温度域の比熱変化帯Ｃ１を超えるまでの時間を長く稼ぐことができ、比熱変化帯Ｃ１の許容受熱量を超えて冷却水が低温状態から逸脱してしまうおそれを低減することができる。このように、複数の温度域で比熱変化帯Ｃ１，Ｃ２を有する冷却水を使用した際に、最も低い温度域の比熱変化帯Ｃ１を十分に有効利用することができる。またこのとき、冷却水に含まれる粒子を多くし過ぎてしまうこともないので、冷却水詰まり等が増加することもない。
【００２８】
＜その他＞
本発明に係る内燃機関の冷却装置は、上述の実施例に限定されるものではなく、本発明の要旨を逸脱しない範囲内において種々の変更を加えてもよい。
【００２９】
本発明は、所定の複数の温度域（温度又は温度範囲をまとめて温度域と表現する）（上記の記載において比熱変化帯と称している）において比熱が前記所定の温度域以外の温度における比熱よりも大きい値をとる冷却水（熱媒体）を使用する内燃機関の冷却装置において、冷却水温の制御性を向上させることを課題とし、そのために、前記複数の温度域のうち最も低い温度域における冷却水の比熱が前記複数の温度域のうち前記最も低い温度域以外の温度域における冷却水の比熱よりも高いことを特徴としている。最も低い温度域における比熱が高いので、最も低い温度域にある冷却水が当該温度域から逸脱することなく吸熱又は放熱することができる熱量（上記の記載において許容受熱量と称している）が大きい。
【００３０】
前記所定の温度域は、冷却水に含まれる物質に相転移が起こる温度とすることができる。相転移により熱が放出されるか又は熱が吸収されるため、相転移が起こる温度では冷却水の比熱が大きくなる。このため、所定の温度域においては、熱の出入があったとしても冷却水の温度は略一定となる。相転移が起こる温度が異なる複数の種類の物質を冷却水に含むことで、複数の所定の温度域のときに所定の温度域以外のときよりも比熱が大きくなる。
【００３１】
前記内燃機関の冷却装置は、冷却水の流通する冷却水通路に設けられ前記冷却水から熱を奪うラジエータと、前記ラジエータをバイパスするバイパス通路と、閉じたときには前記ラジエータへの冷却水の流通を遮断して前記バイパス通路に冷却水を流通させ、開いたときには少なくとも前記ラジエータに冷却水を流通させ、開弁温度を可変制御できるサーモスタットと、を備え、前記サーモスタットの開弁温度は、内燃機関の運転状態に応じた所定の温度に設定することができる。例えば、内燃機関が所定の高負荷運転時において冷却水の温度が前記複数の温度域のうち最も低い温度域に維持されるように設定し、内燃機関が所定の低負荷運転時において冷却水の温度が前記最も低い温度域よりも高い温度域に維持されるように設定しても良い。
【００３２】
上記の記載において粒子をカプセル粒子とした場合について詳細に説明する。冷却水は
、冷却水のとり得る温度範囲内の所定の温度域で相転移する潜熱蓄熱材を内部に封入したカプセル粒子を含む液体であって、封入された潜熱蓄熱材の相転移温度が異なる複数種類のカプセル粒子が混入されており冷却水に含まれる、相転移温度が最も低い潜熱蓄熱材の潜熱の総量が、冷却水に含まれる、他のどの相転移温度の潜熱蓄熱材の潜熱の総量よりも大きい。冷却水に含まれる、ある潜熱蓄熱材の潜熱の総量は、冷却水に含まれる当該潜熱蓄熱材の全ての潜熱の合計である。例えば、相転移温度が最も低い潜熱蓄熱材を封入するカプセルの粒子数を他のカプセルの粒子数より多くする。カプセル粒子に封入された潜熱蓄熱材の相転移温度又は相転移が開始する温度及び相転移が終了する温度により定まる温度域では、冷却水に対する熱授受は潜熱蓄熱材の相転移のために費やされるため、冷却水の温度は略一定となる。すなわち、この温度域では冷却水のみかけの比熱が他の温度域における比熱よりも大きい。この温度域が比熱変化帯である。
【００３３】
図３では、冷却水は、所定の２つの温度域Ｃ１，Ｃ２（上記の記載において比熱変化帯と称している）における比熱が当該温度域Ｃ１，Ｃ２以外における比熱よりも大きくなる冷却水である。つまり、この冷却水は、相転移温度又は相転移の開始温度から終了温度までの温度範囲が温度域Ｃ１である所定の物質（潜熱蓄熱材）を封入したカプセル粒子と、相転移温度又は相転移の開始温度から終了温度までの温度範囲が温度域Ｃ２である所定の物質（潜熱蓄熱材）を封入したカプセル粒子と、を含み、温度域Ｃ１，Ｃ２においては、冷却水に出入りする熱がこれらの潜熱蓄熱材の相転移（固相と液相、液相と気相、固相と気相など）のために費やされるため、冷却水の温度がこれらの温度域で略一定になり、冷却水の比熱が温度域Ｃ１，Ｃ２以外における比熱よりも見かけ上大きな値をとる多段可変比熱冷却水である。なお、冷却水は、相転移温度が異なる３種類以上の潜熱蓄熱材をカプセルに封入して冷却水に含ませる（混入させる）ことにより、３つ以上の所定温度域における比熱が当該所定温度域以外における比熱よりも大きな値になる冷却水であっても良い。
なお、一般に物質の比熱には温度依存性があり、温度変化に伴って比熱が変化する場合があるが、上述した所定温度域における比熱が所定温度域以外の温度における比熱より大きな値になるという比熱の温度変化は、冷却水に含ませた潜熱蓄熱材の相転移によるものであって、含有している物質の相転移によるものではない一般的な比熱の温度変化とは異なるものである。
【００３４】
また、図３に示すように本実施例では、冷却水の溶媒の比熱は、従来技術の冷却水の比熱よりも小さくしている。このように、温度と比熱との関係が、所定温度域以外では従来の冷却水よりも比熱が小さく、所定温度域では従来の冷却水よりも比熱が高くなることで、冷却水の温度が所定温度域以外の温度であるときは熱の出入りに対し冷却水の温度が速やかに変化する一方、冷却水の温度が所定温度域の温度であるときは熱の出入りに対し冷却水の温度変化が緩慢になる。そのため、暖機時に冷却水の温度が所定温度域以外の温度となるようにすることで冷却水の温度が速やかに上昇して燃費の向上が可能であるとともに、所定温度域では大きな熱授受があっても冷却水の温度を維持することが可能になるのでオーバーヒート耐性の向上や温度制御性の向上が可能である。
【００３５】
また、図３に示すように本実施例では、冷却水は、２つの所定温度域Ｃ１，Ｃ２のうち、最も低い温度域Ｃ１における比熱は、所定温度域Ｃ２における比熱よりも大きい。言い換えると、所定温度域Ｃ１，Ｃ２以外の温度域における比熱に対する所定温度域Ｃ１における比熱の差分（比熱変化量、比熱変化幅）は、所定温度域Ｃ１，Ｃ２以外の温度域における比熱に対する所定温度域Ｃ２における比熱の差分よりも大きい。このために、本実施例では、所定温度域Ｃ１に相転移温度がある潜熱蓄熱材を封入するカプセル粒子Ｐ１の量を、所定温度域Ｃ２に相転移温度がある潜熱蓄熱材を封入するカプセル粒子Ｐ２の量よりも多くしている。
【符号の説明】
【００３６】
１     内燃機関
２     冷却水通路
２ａ〜２ｇ    通路
３     ラジエータ
４     オイルクーラ
５ａ   スロットル弁
５ｂ   ＥＧＲ弁
６     リザーバタンク
７     ヒータコア
８     クーラ
９     電子サーモスタット
１０   ウォータポンプ
１１   水温センサ
１２   ＥＣＵ
Ｃ１，Ｃ２    比熱変化帯
Ｐ１，Ｐ２    粒子
【図１】
2013007310.tif 000003
【図２】
2013007310.tif 000004
【図３】
2013007310.tif 000005
【図４】
2013007310.tif 000006